(57)【要約】【課題】ＤＶＤレコーダにおいて、放送信号の種別に関わらず、出力される放送データからなるテレビ番組をテレビ受像機で適切な色あいで視聴できるようにする。【解決手段】ＤＶＤレコーダ１は、放送信号を受信するチューナ２と、放送信号を複合するデコーダ部３（複合手段）と、放送データの録画と再生を行うレコーダ部４と、放送データを外部装置１０に出力するＨＤＭＩ部５と、制御部６と、メモリ部７を備える。制御部６は、チューナ２によって受信された放送信号の種別と、ＨＤＭＩ部５よって決定される出力の種別に応じて、メモリ部７に記憶された複数の変換係数の中から変換係数を１つ選択し、ＨＤＭＩ部５に入力される映像信号にその変換係数を乗する演算を、ＨＤＭＩ部５によって実行させる。これにより、色フォーマットが的確に変換され、放送データの種別に対応する色フォーマットを持った映像信号をＨＤＭＩ部５から出力することができる。【選択図】図１
2008301438.tif 000002
【特許請求の範囲】
【請求項１】
ＡＴＳＣ（Advanced Television Systems Committee）方式でＳＤ（Standard Definition）放送信号又はＨＤ（High Definition）放送信号からなる放送信号を受信するチューナと、
前記チューナによって受信された放送信号を映像信号と音声信号とを含むＳＤ放送データ又はＨＤ放送データに復号する復号手段と、
前記復号手段によって復号されたＳＤ放送データ又はＨＤ放送データをコンテンツデータとしてＤＶＤに録画し、当該コンテンツデータを再生するレコーダ部と、
前記復号手段によって復号された放送データ又はＤＶＤに録画されたコンテンツデータをＨＤＭＩ（High-Definition Multimedia Interface）ケーブルを介して外部装置に出力するＨＤＭＩ部と、
前記複合手段、前記レコーダ部及び前記ＨＤＭＩ部を制御する制御部と、を備えたＤＶＤレコーダにおいて、
前記復号手段は、ＳＤ放送データ又はＨＤ放送データが保持する映像信号に対して色フォーマットを変換することなく、ＳＤ放送データとして前記ＨＤＭＩ部に出力し、
前記ＨＤＭＩ部は、前記外部装置がＨＤ放送データの受信が可能であるか否かに応じて、当該外部装置にＳＤ放送データ又はＨＤ放送データのいずれを出力するかを決定し、ＨＤ放送データを出力するとき、ＳＤ放送データをＨＤ放送データに変換する画像変換処理を実行し、
前記制御部は、
前記チューナによって受信された放送信号がＳＤ放送信号又はＨＤ放送信号のいずれであるかを判別し、放送信号がＨＤ放送信号であると判別した場合であって、
前記ＨＤＭＩ部によってＨＤ放送データの出力が決定されたとき、前記ＨＤＭＩ部に色フォーマットを変換させずに前記画像変換処理を実行させ、
前記ＨＤＭＩ部によってＳＤ放送データの出力が決定されたとき、前記ＨＤＭＩ部に色フォーマットを変換させ、
放送信号がＳＤ放送信号であると判別した場合であって、
前記ＨＤＭＩ部によってＨＤ放送データの出力が決定されたとき、前記ＨＤＭＩ部に色フォーマットを変換させて前記画像変換処理を実行させ、
前記ＨＤＭＩ部によってＳＤ放送データの出力が決定されたとき、前記ＨＤＭＩ部に色フォーマットを変換させないことを特徴とするＤＶＤレコーダ。
【請求項２】
前記ＨＤＭＩ部は、映像信号に所定の変換係数を乗する演算を実行することで色フォーマットを変換し、
前記制御部は、
ＲＧＢからなる映像信号をＳＤ放送データが保持するＳＤ映像信号に変換する変換係数を行列［Ｘ］とし、ＲＧＢからなる映像信号をＨＤ放送データが保持するＨＤ映像信号に変換する変換係数を行列［Ｙ］とし、ＳＤ映像信号をＨＤ映像信号に変換する変換係数を行列［Ｂ］とし、
放送信号がＨＤ放送信号であると判別した場合であって、
前記ＨＤＭＩ部によってＨＤ放送データの出力が決定されたとき、当該ＨＤＭＩ部に前記変換係数として行列［Ｂ］［Ｘ］［Ｙ］−１を用いて演算を実行させることで色フォーマットを変換させず、
前記ＨＤＭＩ部によってＳＤ放送データの出力が決定されたとき、当該ＨＤＭＩ部に前記変換係数として［Ｂ］−１を用いて演算を実行させることで色フォーマットを変換させることを特徴とする請求項１に記載のＤＶＤレコーダ。
【請求項３】
前記変換係数を複数記憶するためのメモリ部をさらに備え、
前記制御部は、前記チューナによって受信された放送信号の種別に応じて、前記メモリ部に記憶された前記変換係数の中から前記変換係数を１つ選択し、前記ＨＤＭＩ部に選択した当該変換係数を用いて色フォーマットを変換させることを特徴とする請求項２に記載のＤＶＤレコーダ。
【発明の詳細な説明】
【技術分野】
【０００１】
本発明は、ＡＴＳＣ（Advanced Television Systems Committee）方式の放送信号を受信するチューナを内蔵し、ＨＤＭＩ（High-Definition Multimedia Interface）ケーブルを介して外部装置に放送データやコンテンツデータを出力するＤＶＤレコーダに関する。
【背景技術】
【０００２】
従来より、ＡＴＳＣ（Advanced Television Systems Committee）方式のディジタル放送信号を受信するチューナを内蔵したＤＶＤレコーダには、チューナによって受信された放送信号がＳＤ（Standard Definition）放送信号又はＨＤ（High Definition）放送信号のどちらの場合であっても、放送信号を複合して得られる映像信号と音声信号を含む放送データをＳＤ放送データとしてテレビ受像機等の外部装置に出力するものがある。このＤＶＤレコーダを用いることで、外部装置がＳＤ放送データしか受信できない場合であっても、その外部装置でＳＤ放送信号やＨＤ放送信号からなるテレビ番組を視聴することができる。このＤＶＤレコーダでは、放送信号がＨＤ放送信号である場合には、特殊なアルゴリズムを用いてＨＤ放送信号を直接ＳＤ放送データに復合し、又は放送データの画像形式を変換する画像変換処理により、複合したＨＤ放送データをＳＤ放送データに変換し、自機のインターフェイスにＳＤ放送データを送信している。
【０００３】
ところで、近年、ＤＶＤレコーダのインターフェイスには、大容量のデジタル信号データが伝送可能なＨＤＭＩ（High-Definition Multimedia Interface）が用いられている。ＨＤＭＩは、一般に、外部装置がＨＤ放送データの受信が可能であるか否かに応じて、外部装置にＳＤ放送データ又はＨＤ放送データのいずれを出力するかを決定し、決定した出力の種別に応じて画像変換処理を実行し、ＨＤＭＩに入力されるＳＤ放送データとＨＤ放送データを相互に変換する。このとき、この画像変換処理に伴って、映像信号に対して色フォーマットを変換する色変換処理を実行し、映像信号の色フォーマットを放送データの種別に対応する色フォーマットに変換する。この色変換処理の際には、映像信号に所定の行列で表される変換係数を乗する行列演算が行われる。なお、行列演算により色フォーマットに変換する技術として、特許文献１には、ＳＤ放送データが保持するＳＤ映像信号に対して色フォーマットを変換する変換係数を用いて行列演算を実行し、ＨＤ放送データが保持するＨＤ映像信号に変換する映像信号処理装置が開示されている。
【特許文献１】特開２００５−２０１３７号公報
【発明の開示】
【発明が解決しようとする課題】
【０００４】
しかしながら、上述したようなＤＶＤレコーダでは、放送信号がＨＤ放送信号である場合に、色フォーマットが放送データの種別に対応する色フォーマットに変換されずに自機のＨＤＭＩにＳＤ放送データとして送信されると、ＨＤ放送データが保持するＨＤ映像信号、つまりＨＤ放送データの色フォーマットを持った映像信号がＨＤＭＩに入力され、このような映像信号に対してＨＤＭＩが上述のような色変換処理を実行しても、放送データの種別と対応する色フォーマットへの変換が行われない。従って、色フォーマットが適切でない映像信号が外部装置に出力され、テレビ受像機でテレビ番組を適切な色あいで視聴できない。また、特許文献１に記載の映像信号処理装置は、映像信号の変換に必要な回路構成を削減するために、ＳＤ映像信号からＨＤ映像信号に変換するための複数の行列を合成演算し、演算した合成行列を行列演算器に供給するようにしたものであり、上記問題を解決するものではない。
【０００５】
本発明は、上記問題を解決するためになされたものであり、チューナによって受信された放送信号が、ＳＤ放送信号又はＨＤ放送信号のどちらの場合であっても、放送データの種別と対応する色フォーマットを持った映像信号をＨＤＭＩから出力することで、出力された放送データからなるテレビ番組をテレビ受像機で適切な色あいで視聴できるＤＶＤレコーダを提供することを目的とする。
【課題を解決するための手段】
【０００６】
上記目的を達成するために請求項１の発明は、ＡＴＳＣ（Advanced Television Systems Committee）方式でＳＤ（Standard Definition）放送信号又はＨＤ（High Definition）放送信号からなる放送信号を受信するチューナと、前記チューナによって受信された放送信号を映像信号と音声信号とを含むＳＤ放送データ又はＨＤ放送データに復号する復号手段と、前記復号手段によって復号されたＳＤ放送データ又はＨＤ放送データをコンテンツデータとしてＤＶＤに録画し、当該コンテンツデータを再生するレコーダ部と、前記復号手段によって復号された放送データ又はＤＶＤに録画されたコンテンツデータをＨＤＭＩ（High-Definition Multimedia Interface）ケーブルを介して外部装置に出力するＨＤＭＩ部と、前記複合手段、前記レコーダ部及び前記ＨＤＭＩ部を制御する制御部と、を備えたＤＶＤレコーダにおいて、前記復号手段は、ＳＤ放送データ又はＨＤ放送データが保持する映像信号に対して色フォーマットを変換することなく、ＳＤ放送データとして前記ＨＤＭＩ部に出力し、前記ＨＤＭＩ部は、前記外部装置がＨＤ放送データの受信が可能であるか否かに応じて、当該外部装置にＳＤ放送データ又はＨＤ放送データのいずれを出力するかを決定し、ＨＤ放送データを出力するとき、ＳＤ放送データをＨＤ放送データに変換する画像変換処理を実行し、前記制御部は、前記チューナによって受信された放送信号がＳＤ放送信号又はＨＤ放送信号のいずれであるかを判別し、放送信号がＨＤ放送信号であると判別した場合であって、前記ＨＤＭＩ部によってＨＤ放送データの出力が決定されたとき、前記ＨＤＭＩ部に色フォーマットを変換させずに前記画像変換処理を実行させ、前記ＨＤＭＩ部によってＳＤ放送データの出力が決定されたとき、前記ＨＤＭＩ部に色フォーマットを変換させ、放送信号がＳＤ放送信号であると判別した場合であって、前記ＨＤＭＩ部によってＨＤ放送データの出力が決定されたとき、前記ＨＤＭＩ部に色フォーマットを変換させて前記画像変換処理を実行させ、前記ＨＤＭＩ部によってＳＤ放送データの出力が決定されたとき、前記ＨＤＭＩ部に色フォーマットを変換させないものである。
【０００７】
請求項２の発明は、請求項１に記載の発明において、前記ＨＤＭＩ部は、映像信号に所定の変換係数を乗する演算を実行することで色フォーマットを変換し、前記制御部は、ＲＧＢからなる映像信号をＳＤ放送データが保持するＳＤ映像信号に変換する変換係数を行列［Ｘ］とし、ＲＧＢからなる映像信号をＨＤ放送データが保持するＨＤ映像信号に変換する変換係数を行列［Ｙ］とし、ＳＤ映像信号をＨＤ映像信号に変換する変換係数を行列［Ｂ］とし、放送信号がＨＤ放送信号であると判別した場合であって、前記ＨＤＭＩ部によってＨＤ放送データの出力が決定されたとき、当該ＨＤＭＩ部に前記変換係数として行列［Ｂ］［Ｘ］［Ｙ］−１を用いて演算を実行させることで色フォーマットを変換させず、前記ＨＤＭＩ部によってＳＤ放送データの出力が決定されたとき、当該ＨＤＭＩ部に前記変換係数として［Ｂ］−１を用いて演算を実行させることで色フォーマットを変換させるものである。
【０００８】
請求項３の発明は、請求項２に記載の発明において、前記変換係数を複数記憶するためのメモリ部をさらに備え、前記制御部は、前記チューナによって受信された放送信号の種別に応じて、前記メモリ部に記憶された前記変換係数の中から前記変換係数を１つ選択し、前記ＨＤＭＩ部に選択した当該変換係数を用いて色フォーマットを変換させるものである。
【発明の効果】
【０００９】
請求項１の発明によれば、復号手段よってＨＤＭＩ部に出力されたＳＤ放送データは、チューナによって受信された放送信号の種別と、ＨＤＭＩ部よって決定される出力の種別に応じて、色フォーマットが的確に変換されるので、放送データの種別に対応する色フォーマットを持った映像信号をＨＤＭＩから出力することができる。そのため、出力された放送データからなるテレビ番組を、外部装置であるテレビ受像機等で適切な色あいで視聴することができる。また、既設のＨＤＭＩ部に色フォーマットを変換させるので、補正するための別途新たな回路を設けてＤＶＤレコーダを構成した場合に比べて、コストを低減することができる。
【００１０】
請求項２の発明によれば、ＨＤＭＩ部は、映像信号に所定の変換係数を乗する演算を実行することで色フォーマットを変換するため、複雑な演算器を設ける必要が無く、コストを一層低減することができる。
【００１１】
請求項３の発明によれば、チューナによって受信された放送信号の種別とＨＤＭＩ部よって決定される出力の種別に応じて、変換係数が選択されるので、演算の際に不要なデータを保持しておく必要が無く、ＨＤＭＩ部の演算負荷を低減することができる。
【発明を実施するための最良の形態】
【００１２】
本発明の一実施形態に係るＤＶＤレコーダについて図面を参照して説明する。図１は実施形態に係るＤＶＤレコーダの概略構成を示す。ＤＶＤレコーダ１は、テレビ受像機等の外部装置１０と接続されて使用されるものであって、ＡＴＳＣ（Advanced Television Systems Committee）方式のデジタル放送信号を受信するチューナ２と、チューナ２によって受信された放送信号を、映像信号と音声信号とを含む放送データに複合するデコーダ部３（複合手段）と、デコーダ部３によって復号された放送データをコンテンツデータとしてＤＶＤに録画し、ＤＶＤに記憶されたコンテンツデータを再生するレコーダ部４と、デコーダ部３によって復号された放送データ又はＤＶＤに録画されたコンテンツデータをＨＤＭＩ（High-Definition Multimedia Interface）ケーブルを介して外部装置１０に出力するＨＤＭＩ部５と、デコーダ部３、レコーダ部４及びＨＤＭＩ部５を制御する制御部６と、制御部６に接続されて制御に際し必要なデータを記憶するメモリ部７とを備える。
【００１３】
チューナ２は、受信周波数をユーザよって選択されたチャンネルに対応する周波数に同調させることにより、放送局によって符号・圧縮されて送出されるデジタル放送信号の中から、そのチャンネルにおけるＳＤ（Standard Definition）放送信号又はＨＤ（High Definition）放送信号をアンテナを介して受信し、復調処理や誤り訂正処理等を行ってＳＤ放送信号又はＨＤ放送信号をデコーダ部３に出力する。
【００１４】
デコーダ部３は、入力されるＳＤ放送信号とＨＤ放送信号をそれぞれＳＤ放送データとＨＤ放送データに複合し、ＳＤ放送データ、又はＨＤ放送データが保持する映像信号に対して色フォーマットを変換することなく、ＳＤ放送データとしてＨＤＭＩ部５に出力する。
【００１５】
ＨＤＭＩ部５は、外部装置１０がＨＤ放送データの受信が可能であるか否かに応じて、外部装置１０にＳＤ放送データ又はＨＤ放送データのいずれを出力するかを決定し、決定した出力の種別に応じて、映像信号に対して色フォーマットを放送データの種別に対応する色フォーマットに変換する色変換処理と、放送データの画像形式を変換する画像変換処理からなる放送データ変換処理を実行する機能を有している。ＨＤＭＩ部は、映像信号に所定の変換係数を乗する演算を実行することで色フォーマットを変換する。
【００１６】
ここで、制御部６によってＲＧＢからなる映像信号をＳＤ放送データが保持するＳＤ映像信号に変換する変換係数を行列［Ｘ］とし、ＲＧＢからなる映像信号をＨＤ放送データが保持するＨＤ映像信号に変換する変換係数を行列［Ｙ］としたとき、ＳＤ映像信号Ｙ、Ｃｂ、Ｃｒは（式１）のように表され、ＨＤ映像信号Ｙ、Ｐｂ、Ｐｒは（式２）のように表される。ここで、ＨＤ映像信号とは、ＨＤ放送データの色フォーマットを持った映像信号のことであり、またＳＤ映像信号とは、ＳＤ放送データの色フォーマットを持った映像信号のことである。
【００１７】
【数１】
2008301438.tif 000003
【００１８】
【数２】
2008301438.tif 000004
【００１９】
また、ＳＤ映像信号をＨＤ映像信号に変換する変換係数を行列［Ｂ］（＝［Ｙ］［Ｘ］−１）としたとき、ＨＤ映像信号Ｙ、Ｐｂ、Ｐｒは（式３）のように表される。
【００２０】
【数３】
2008301438.tif 000005
【００２１】
ここで、ＨＤＭＩ部５に入力される映像信号は、チューナ２がＳＤ放送信号を受信した場合にはＳＤ映像信号Ｙ、Ｃｂ、Ｃｒであり、チューナ２がＨＤ放送信号を受信した場合にはＨＤ映像信号Ｙ、Ｐｂ、Ｐｒである。
【００２２】
メモリ部７は、行列［Ｘ］、行列［Ｙ］及び行列［Ｂ］や、これらの逆行列である行列［Ｘ］−１、行列［Ｙ］−１及び行列［Ｂ］−１、さらに、後述する単位行列［Ｅ］及び行列［Ｂ］［Ｘ］［Ｙ］−１などを変換係数として記憶する。
【００２３】
次に、上記のように構成された本実施形態のＤＶＤレコーダのＨＤＭＩ部における放送データ変換処理について説明する。図２は、その放送データ変換処理のフローチャートを示す。チューナ２によって放送信号が受信され、デコーダ部３によってその放送信号が複合されると（Ｓ１）、制御部６は、複合した際に得られるデータ信号からチューナ２によって受信された放送信号がＨＤ放送信号又はＳＤ放送信号のいずれであるかの判別を行う（Ｓ２）。放送信号がＨＤ放送信号であると判別された場合（Ｓ２でＹＥＳ）、ＨＤＭＩ部５は、外部装置１０にＳＤ放送データ又はＨＤ放送データのいずれを出力するかの出力種別の決定を行う。（Ｓ３）。また、放送信号がＳＤ放送信号であると判別された場合（Ｓ２でＮＯ）にも、同様の出力種別の決定を行う（Ｓ４）。
【００２４】
放送信号がＨＤ放送信号であり、ＨＤ放送データの出力が決定されたとき（Ｓ３でＹＥＳ）、制御部６は、メモリ部７に記憶された変換係数の中から行列［Ｂ］［Ｘ］［Ｙ］−１を選択し、ＨＤＭＩ部５に、入力される映像信号（ＨＤ映像信号Ｙ、Ｐｂ、Ｐｒ）に行列［Ｂ］［Ｘ］［Ｙ］−１を乗する演算を実行させる（Ｓ５）。この演算によって得られる映像信号Ｙｏｕｔ、Ｐｂｏｕｔ、Ｐｒｏｕｔは、（式４）のように表される。
【００２５】
【数４】
2008301438.tif 000006
【００２６】
従って、演算によって色フォーマットが変換されず、映像信号Ｙｏｕｔ、Ｐｂｏｕｔ、ＰｒｏｕｔはＨＤ映像信号Ｙ、Ｐｂ、Ｐｒとなる。さらに、制御部６は、ＨＤＭＩ部５に、この映像信号を含む放送データに画像変換処理を実行させることでＳＤ放送データをＨＤ放送データに変換させる（Ｓ６）。このＨＤ放送データが外部装置１０に出力される（Ｓ７）。
【００２７】
また、放送信号がＨＤ放送信号であり、ＳＤ放送データの出力が決定されたとき（Ｓ３でＮＯ）、制御部６は、メモリ部７に記憶された変換係数の中からを選択し、ＨＤＭＩ部５に、入力される映像信号（ＨＤ映像信号Ｙ、Ｐｂ、Ｐｒ）に行列［Ｂ］−１を乗する演算を実行させる（Ｓ８）。この演算によって得られる映像信号Ｙｏｕｔ、Ｃｂｏｕｔ、Ｃｒｏｕｔは、（式５）のように表される。
【００２８】
【数５】
2008301438.tif 000007
【００２９】
従って、演算によって色フォーマットが変換され、映像信号Ｙｏｕｔ、Ｃｂｏｕｔ、ＣｒｏｕｔはＳＤ映像信号Ｃ、Ｃｂ、Ｃｒとなる。この映像信号を含むＳＤ放送データが外部装置１０に出力される（Ｓ７）。
【００３０】
また、放送信号がＳＤ放送信号であり、ＨＤ放送データの出力が決定されたとき（Ｓ４でＹＥＳ）、制御部６は、メモリ部７に記憶された変換係数を選択し、ＨＤＭＩ部５に、入力される映像信号（ＳＤ映像信号Ｙ、Ｃｂ、Ｃｒ）に行列［Ｂ］を乗する演算を実行させる（Ｓ９）。この演算によって得られる映像信号Ｙｏｕｔ、Ｐｂｏｕｔ、Ｐｒｏｕｔは、（式６）のように表される。
【００３１】
【数６】
2008301438.tif 000008
【００３２】
従って、演算によって色フォーマットが変換され、映像信号Ｙｏｕｔ、Ｐｂｏｕｔ、ＰｒｏｕｔはＨＤ映像信号Ｙ、Ｐｂ、Ｐｒとなる。さらに、制御部６は、この映像信号を含む放送データに画像変換処理を実行させることでＳＤ放送データをＨＤ放送データに変換させる（Ｓ１０）。このＨＤ放送データが外部装置１０に出力される（Ｓ７）。
【００３３】
放送信号がＳＤ放送信号であり、ＳＤ放送データの出力が決定されたとき（Ｓ４でＮＯ）、制御部６は、メモリ部７に記憶された変換係数を選択し、ＨＤＭＩ部５に、入力される映像信号（ＳＤ映像信号Ｙ、Ｃｂ、Ｃｒ）に単位行列［Ｅ］を乗する演算を実行させる（Ｓ１１）。この演算によって得られる映像信号Ｙｏｕｔ、Ｃｂｏｕｔ、Ｃｒｏｕｔは、（式７）のように表される。
【００３４】
【数７】
2008301438.tif 000009
【００３５】
従って、演算によって色フォーマットが変換されず、映像信号Ｙｏｕｔ、Ｃｂｏｕｔ、ＣｒｏｕｔはＳＤ映像信号Ｙ、Ｃｂ、Ｃｒとなる。この映像信号を含むＳＤ放送データが外部装置１０に出力される（Ｓ７）。
【００３６】
以上のように、本実施形態のＤＶＤレコーダによれば、デコーダ部３よってＨＤＭＩ部５に出力されたＳＤ放送データは、チューナ２によって受信された放送信号の種別と、ＨＤＭＩ部５よって決定される出力の種別に応じて、色フォーマットが的確に変換されるので、放送データの種別に対応する色フォーマットを持った映像信号をＨＤＭＩ部５から出力することができる。そのため、デコーダ部３から直接ＨＤＭＩ部５に出力された放送データやＤＶＤに一旦ＤＶＤに録画されたコンテンツデータからなるテレビ番組をテレビ受像機で適切な色あいで視聴することができる。また、既設のＨＤＭＩ部５に色変換処理を実行させるので、複雑な回路を構成する必要がなく、本ＤＶＤレコーダを安価に構成することができる。また、制御部６が、放送信号の種別と出力の種別に応じて必要な変換係数を選択し、この変換係数を用いてＨＤＭＩ部５に演算を実行させるので、演算の際に不要なデータを保持しておく必要が無く、ＨＤＭＩ部５の演算負荷を低減することができる。
【００３７】
なお、本発明は、上記実施形態の構成に限られず、発明の趣旨を変更しない範囲で種々の変形が可能である。例えば、ＨＤＭＩ部は、チューナ２によって受信された放送信号の種別と、ＨＤＭＩ部によって決定される放送データの出力の種別によって、画像変換処理と色変換処理を実行すればよいので、上述の放送データ変換処理における各ステップの順序が変更されたものであってもよい。また、レコーダ部に代わりに、デコーダ部によって復号されたＳＤ放送データ、又はＨＤ放送データをコンテンツデータとしてハードディスクに録画し、ハードディスクに記録されたコンテンツデータを再生するＨＤＤ部を設けたものであってもよい。さらに、本ＤＶＤレコーダにテレビ受像機を一体的に設けたＤＶＤレコーダ付きテレビ受像機であってもよい。
【図面の簡単な説明】
【００３８】
【図１】本発明の一実施形態に係るＤＶＤレコーダを示すブロック図。
【図２】同ＤＶＤレコーダにおける放送データ変換処理を示すフローチャート。
【符号の説明】
【００３９】
１  ＤＶＤレコーダ
２  チューナ
３  デコーダ部
４  レコーダ部
５  ＨＤＭＩ部
６  制御部
７  メモリ部
１０  外部装置
【図１】
2008301438.tif 000010
【図２】
2008301438.tif 000011